(57)【要約】【課題】レフィル容器の交換操作を簡便にすることが可能であるとともに、外装容器内に収容されるレフィル容器の底部分の肉厚を厚く確保することが可能な容器を提供する。【解決手段】薄肉なスリーブ１を押し出し成形で形成し、スリーブの一端に、インサート成形によって底部品２を一体成形し、スリーブの他端に、スリーブ内に嵌装される嵌装部３とスリーブから張り出される鍔部４を有する首部品５を装着し、嵌装部との間でスリーブを挟み込みかつ鍔部と接合される押さえリング６をスリーブにスライド自在に装着したレフィル容器７と、レフィル容器が挿入される外装容器８と、外装容器に形成した操作窓部９と、外装容器に、操作窓部近傍に形成した係止部１０と、押さえリングに形成され、係止部に係合される係合部１１と、外装容器とレフィル容器との間に操作窓部に掛止させて設けられ、係合部を係止部から離脱させるプッシュピース１２とを備える。【選択図】図１
2006008169.tif 000002
【特許請求の範囲】
【請求項１】
柔軟性を有する薄肉な可撓性の合成樹脂製のスリーブを押し出し成形によりシームレスに形成し、該スリーブの一端に、インサート成形によって当該スリーブの外径寸法に納まる寸法で剛性を有する合成樹脂製の底部品を一体成形し、上記スリーブの他端に、該スリーブ内に嵌装される嵌装部と該スリーブの他端から外方へ張り出される鍔部とを備え、剛性を有する首部品を装着するとともに、上記スリーブに、その一端から他端へ向かってスライド自在に挿入されて上記嵌装部との間で該スリーブを挟み込みかつ上記鍔部と接合される剛性を有する押さえリングを装着して構成されたレフィル容器と、
上記レフィル容器がその内部に挿抜自在に挿入される中空筒状の外装容器と、該外装容器に形成された操作窓部と、上記外装容器に、上記操作窓部と近接させて形成された係止部と、上記押さえリングに形成され、上記係止部に係脱自在に係合される係合部と、上記外装容器と上記レフィル容器との間に上記操作窓部に掛止させて設けられ、上記係合部を上記係止部から離脱させるプッシュピースとを備えたことを特徴とする容器。
【発明の詳細な説明】
【技術分野】
【０００１】
本発明は、レフィル容器の交換操作を簡便にすることが可能であるとともに、外装容器内に収容されるレフィル容器の底部分の肉厚を厚く確保することが可能な容器に関する。
【背景技術】
【０００２】
交換可能なリフィール容器を着脱自在に装着して用いられる容器として、例えば特許文献１が知られている。この化粧品用容器では、リフィール容器を交換する際、外装体に着脱自在にねじ込まれてリフィール容器の抽出口側肩部を押さえ込むリング状のプロテクターを外し、外装体内のリフィール容器を交換し、その後プロテクターを再度ねじ込むようにしていた。また、リフィール容器はインジェクションブロー成形などによって、抽出口に螺子部を有する有底筒体状に形成されていた。
【特許文献１】特公平４−２４０４５号公報
【発明の開示】
【発明が解決しようとする課題】
【０００３】
ところで、上記従来技術にあっては、リフィール容器を交換する際に、プロテクターを脱着する必要があり、操作が煩雑であるという課題があった。また、外装体内に収容されるリフィール容器に関し、インジェクションブロー成形ではその成形法に従って、抽出口部分の肉厚は厚く成形できる一方で、底部分は薄肉に形成されることとなるため、薄肉容器であっても底部分の強度を確保したい場合には不満足なものであり、その分、リフィール容器を収容する外装体の底部肉厚を厚く確保するなどの対策が必要になるという課題もあった。
【０００４】
本発明は上記従来の課題に鑑みて創案されたものであって、レフィル容器の交換操作を簡便にすることが可能であるとともに、外装容器内に収容されるレフィル容器の底部分の肉厚を厚く確保することが可能な容器を提供することを目的とする。
【課題を解決するための手段】
【０００５】
本発明にかかる容器は、柔軟性を有する薄肉な可撓性の合成樹脂製のスリーブを押し出し成形によりシームレスに形成し、該スリーブの一端に、インサート成形によって当該スリーブの外径寸法に納まる寸法で剛性を有する合成樹脂製の底部品を一体成形し、上記スリーブの他端に、該スリーブ内に嵌装される嵌装部と該スリーブの他端から外方へ張り出される鍔部とを備え、剛性を有する首部品を装着するとともに、上記スリーブに、その一端から他端へ向かってスライド自在に挿入されて上記嵌装部との間で該スリーブを挟み込みかつ上記鍔部と接合される剛性を有する押さえリングを装着して構成されたレフィル容器と、上記レフィル容器がその内部に挿抜自在に挿入される中空筒状の外装容器と、該外装容器に形成された操作窓部と、上記外装容器に、上記操作窓部と近接させて形成された係止部と、上記押さえリングに形成され、上記係止部に係脱自在に係合される係合部と、上記外装容器と上記レフィル容器との間に上記操作窓部に掛止させて設けられ、上記係合部を上記係止部から離脱させるプッシュピースとを備えたことを特徴とする。
【発明の効果】
【０００６】
本発明にかかる容器にあっては、レフィル容器の交換操作を簡便にすることができるとともに、外装容器内に収容されるレフィル容器の底部分の肉厚を厚く確保することができる。
【発明を実施するための最良の形態】
【０００７】
以下に、本発明にかかる容器の好適な一実施形態を、添付図面を参照して詳細に説明する。本実施形態にかかる容器は基本的には、図１〜図３に示すように、柔軟性を有する薄肉な可撓性の合成樹脂製のスリーブ１を押し出し成形によりシームレスに形成し、スリーブ１の一端に、インサート成形によって当該スリーブ１の外径寸法に納まる寸法で剛性を有する合成樹脂製の底部品２を一体成形し、スリーブ１の他端に、スリーブ１内に嵌装される嵌装部３とスリーブ１の他端から外方へ張り出される鍔部４とを備え、剛性を有する首部品５を装着するとともに、スリーブ１に、その一端から他端へ向かってスライド自在に挿入されて嵌装部３との間でスリーブ１を挟み込みかつ鍔部４と接合される剛性を有する押さえリング６を装着して構成されたレフィル容器７と、レフィル容器７がその内部に挿抜自在に挿入される中空筒状の外装容器８と、外装容器８に形成された操作窓部９と、外装容器８に、操作窓部９と近接させて形成された係止部１０と、押さえリング６に形成され、係止部１０に係脱自在に係合される係合部１１と、外装容器８とレフィル容器７との間に操作窓部９に掛止させて設けられ、係合部１１を係止部１０から離脱させるプッシュピース１２とを備えて構成される。
【０００８】
まず、レフィル容器７について説明する。本実施形態にあってはスリーブ１は、ポリエチレンなどの合成樹脂を素材として、周知の押し出し成形により薄肉に成形され、これにより柔軟性があって可撓性に富み、周面には継ぎ目がなく、そして上端および下端がともに開放された中空円筒体状に形成される。このスリーブ１の下端には、ポリエチレンなどの合成樹脂を素材として、スリーブ１よりも厚い肉厚で形成されて剛性の高い底部品２が一体成形される。底部品２は、成形型にインサートしたスリーブ１の下端に対して合成樹脂を射出して成形する、周知のインサート成形によってスリーブ１と一体的に形成される。底部品２はその外径寸法がスリーブ１の外径寸法よりも小さく設定され、これによりスリーブ１は下端の開口が窄められた形態で、底部品２と一体化される。
【０００９】
首部品５は、図示しないキャップが螺合されるネジ部を有する抽出筒部１３と、この抽出筒部１３の下端から外方へ拡張形成された肩部１４と、肩部１４の周縁部から下方へ向かって垂下形成され、スリーブ１内にその上端開口から嵌装される中空円筒体状の嵌装部３と、肩部１４の周縁部に嵌装部３位置からさらに外方へ向かって拡張形成された環状の鍔部４とが一体成形されて構成される。この首部品５は、ポリプロピレンなどの合成樹脂を素材として、インジェクション成形により寸法精度高くかつ相当の肉厚で剛性高く形成される。首部品５は金属製であっても良い。
【００１０】
嵌装部３は、スリーブ１内への挿入によって互いに重ね合わされるその外周面とスリーブの内周面との密着性を高めて高い密封性を確保すべく、スリーブ１の上端をその可撓性によって僅かながら押し広げつつスリーブ１内に嵌装されるように、その外径寸法がスリーブ１の内径寸法よりも僅かに大きく形成される。この嵌装部３の下端外周縁には、スリーブ１への挿入を容易化するために、下方へ向かって窄まるテーパ面３ａが形成される。また鍔部４は、嵌装部３を介してスリーブ１に首部品５を取り付けた際に、スリーブ１の上端から外向きに張り出されるようになっている。
【００１１】
押さえリング６は中空円筒状に形成され、スリーブ１の下端から上端へ向かってスライド自在に挿入できるように、その内径寸法が、嵌装部３によって押し広げられた状態のスリーブ１上端周辺の外径寸法にほぼ一致するように設定される。また押さえリング６の外径寸法は、鍔部４の外径寸法よりも小さく設定される。また押さえリング６の下端部には、周方向に１８０°間隔を隔てた位置から下方へ突出させて一対の弾性片１５が一体形成され、これら弾性片１５にはそれぞれ外向きに係合部１１が突出形成される。押さえリング６は、合成樹脂製であっても金属製であっても良い。この押さえリング６の弾性片１５に形成された係合部１１には、下端から上端に向かって迫り出す形態で押し上げテーパ面１１ａが形成される。
【００１２】
本実施形態にかかるレフィル容器７の組み立て操作について説明すると、まず、スリーブ１を押し出し成形する。この押し出し成形したスリーブ１の下端に、底部品２をインサート成形により一体成形する。他方、首部品５および押さえリング６を別途作成しておく。首部品５の嵌装部３をスリーブ１上端の開口からその内部に嵌装し、これによりスリーブ１に首部品５を装着する。この装着操作により、嵌装部３と重なり合うスリーブ１の上端は僅かながら押し広げられる。その後、底部品２が取り付けられているスリーブ１の下端から押さえリング６を挿入し、この押さえリング６を鍔部４に突き当たるスリーブ１の上端までスライド移動させ、嵌装部３周辺に対して押し込む。これにより、スリーブ１は押さえリング６と首部品５の嵌装部３との間に強固に挟み込まれる。最後に、押さえリング６と首部品５の鍔部４とを接着などにより接合することで、レフィル容器７が組み立てられる。
【００１３】
外装容器８は、金属製あるいは合成樹脂製で、上方からその内部にレフィル容器７を挿抜自在に挿入できるように、有底の中空円筒状に形成される。この外装容器８の周側面には、上述したレフィル容器７の押さえリング６に形成した弾性片１５位置に対応させて一対の操作窓部９が貫通形成される。これら操作窓部９の上縁には外装容器８内方へ向けて、押さえリング６の係合部１１が係脱自在に係合される係止部１０が一体形成される。また外装容器８にはその上端から操作窓部９にわたって、押さえリング６の係合部１１を操作窓部９上縁の係止部１０に係合させるために当該係合部１１の挿抜を許容する縦溝１６が形成される。
【００１４】
また外装容器８には、合成樹脂製のプッシュピース１２が設けられる。このプッシュピース１２は、レフィル容器７と外装容器８との間にレフィル容器７の外周面を取り囲んで配置される環状部材１７と、環状部材１７の上端部に操作窓部９、すなわち弾性片１５の形成位置に合わせて、周方向に１８０°の間隔を隔てた位置から上方へ突出形成される一対の可撓片１８と、これら可撓片１８の上端部に外向きに屈曲させて形成され、操作窓部９から突出される一対の押しボタン部１９とが一体成形されて構成される。このプッシュピース１２は、押しボタン部１９が操作窓部９に掛止されて外装容器８内に取り付けられる。
【００１５】
外装容器８の組み立ては、可撓片１８の可撓性を利用してプッシュピース１２の押しボタン部１９を縦溝１６にはめ込み、そのまま当該プッシュピース１２を外装容器８内方へ押し込めばよい。プッシュピース１２を押し込むと、操作窓部９に達した位置で可撓片１８の弾性復帰作用により押しボタン部１９が操作窓部９にはまり込んで掛止され、これによりプッシュピース１２が外装容器８内に支持される。このようにプッシュピース１２を外装容器８に取り付けると、押しボタン部１９が操作窓部９上縁の係止部１０直下に位置されることになる。
【００１６】
このように組み立てられた外装容器８に対するレフィル容器７の脱着操作について説明すると、外装容器８の上端にレフィル容器７の下端を差し込み、そのままレフィル容器７を外装容器８内へ挿入していく。この挿入操作で、押さえリング６の弾性片１５が外装容器８の上端に達したら、弾性片１５の係合部１１を外装容器８の縦溝１６位置に合わせ、この縦溝１６により係合部１１を案内させながら、さらにレフィル容器７を挿入していく。係合部１１が操作窓部９直上に達すると、押し上げテーパ面１１ａが係止部１０に当接し、これに伴って弾性片１５が弾性変形されて係合部１１が係止部１０に係合されることとなり、これによりレフィル容器７を外装容器８内に保持することができる。
【００１７】
他方、交換のためにレフィル容器７を外装容器８から取り外す場合には、操作窓部９から突出しているプッシュピース１２の押しボタン部１９を押し込み操作すればよい。押しボタン部１９の押し込み操作で可撓片１８は可撓変形され、押しボタン部１９が外装容器８内方へ押し込まれる。押し込まれた押しボタン部８は、係合部１１の押し上げテーパ面１１ａに当接されて、弾性片１５を弾性変形させつつ係合部１１、ひいては押さえリング６を押し上げることになり、これにより係合部１１が係止部１０から離脱されることになる。係止部１０から係合部１１が離脱された後は、レフィル容器７の鍔部４などに指を掛けて引き出せば、外装容器８からレフィル容器７を取り出すことができる。
【００１８】
以上説明した本実施形態にかかる容器にあっては、レフィル容器７の交換に際し、外装容器８にレフィル容器７を挿入するときは単にレフィル容器７を外装容器８内に差し込めばよく、またレフィル容器７を取り出すときは、プッシュピース１２の押しボタン部１９を押し込み操作した上で、レフィル容器７を引き出せばよく、従来のようにプロテクターを脱着するなどの手間が不要であって、ワンタッチで簡単に交換操作を行うことができる。また従来では、プロテクターを紛失してしまうと、使用できなくなるのに対し、本実施形態にあっては、脱着用部品であるプッシュピース１２が外装容器８に設けられているので、紛失のおそれなく、継続的に使用することができる。
【００１９】
また、レフィル容器７に関し、押し出し成形によるスリーブ１に対し、インサート成形で底部品２を一体成形するようにしたので、薄肉容器でありながら底部分の肉厚を必要に応じて適宜に厚く形成することができ、レフィル容器７として必要な耐久性などを適切に向上することができる。
【図面の簡単な説明】
【００２０】
【図１】本発明にかかる容器の好適な一実施形態を示す一部破断側面図である。
【図２】図１に示した容器の一部断面分解斜視図である。
【図３】図１の容器の外装容器からレフィル容器を取り外す操作状態を示す要部拡大一部破断側面図である。
【符号の説明】
【００２１】
１  スリーブ
２  底部品
３  嵌装部
４  鍔部
５  首部品
６  押さえリング
７  レフィル容器
８  外装容器
９  操作窓部
１０  係止部
１１  係合部
１２  プッシュピース
【図１】
2006008169.tif 000003
【図２】
2006008169.tif 000004
【図３】
2006008169.tif 000005